(57)【要約】【課題】本発明は、大型化することなくコイル状に巻回した形状記憶合金を使って、大型化することなくカード部材を容易に排出できるカード用コネクタ装置を提供すること。【解決手段】本発明のカード用コネクタ装置は、ハウジング１内部に装着したカード部材５を、ロック部材（図示せず）がスライド部材６を介してロックした状態において、形状記憶コイル９の巻き線部９ａの長さ寸法が記憶寸法Ｌ１から変化して寸法Ｌ２になっており、この状態から、形状記憶コイル９は、非通電状態と通電状態との切り換えに伴う温度変化で発生する記憶寸法Ｌ１に戻ろうとする復元力で、ロック解除部材８がロック部材側に移動することにより、ロック部材によるロックが解除されて、ハウジング１内部に装着したカード部材５を外部に排出するするようにした。【選択図】　　　　図１
2004014456.tif 000002
【特許請求の範囲】
【請求項１】
カード部材と、このカード部材を内部に装着可能なハウジングと、このハウジング内部に装着する時の前記カード部材の動きに連動して移動可能なスライド部材と、前記ハウジング内部に装着した前記カード部材を前記スライド部材を介してロック可能なロック部材と、前記スライド部材の前記ロックを解除して前記カード部材を前記ハウジング内部から排出可能なロック解除部材とを備え、
前記ロック解除部材には、線状の形状記憶合金をコイル状に巻回して所定長さの巻き線部を有する形状記憶コイルが係止され、この形状記憶コイルは、あらかじめ記憶させた前記巻き線部の所定の長さ寸法を記憶寸法とし、
前記ハウジング内部に装着した前記カード部材を、前記ロック部材が前記スライド部材を介して前記ロックした状態において、前記形状記憶コイルの前記巻き線部の長さ寸法が前記記憶寸法から変化しており、
この状態から、前記形状記憶コイルは、非通電状態と通電状態との切り換えに伴う温度変化で発生する前記記憶寸法に戻ろうとする復元力で、前記ロック解除部材が前記ロック部材側に移動することにより、前記ロック部材による前記ロックが解除されて、前記ハウジング内部に装着した前記カード部材を外部に排出するするようにしたことを特徴とするカード用コネクタ装置。
【請求項２】
前記ロック解除部材は、前記ロック部材から離れる方向に弾性付勢する第１の弾性部材を有し、この第１の弾性部材の付勢力で前記記憶寸法から変化した前記形状記憶コイルを、前記通電状態において発生する前記復元力で前記第１の弾性部材に抗して前記ロック解除部材が前記ロック部材側に移動するようにしたことを特徴とする請求項１記載のカード用コネクタ装置。
【請求項３】
前記形状記憶コイルは、前記ハウジング内部に前記カード部材を装着して前記ロックした状態における前記巻き線部の長さ寸法が前記記憶寸法より伸長しており、前記通電状態における前記巻き線部の温度上昇で伸長状態の前記形状記憶コイルが収縮して前記記憶寸法に復元するようにしたことを特徴とする請求項１または２記載のカード用コネクタ装置。
【請求項４】
前記スライド部材は、回動可能に支持した係合部材を有し、前記ハウジング内部に前記カード部材を装着して前記ロック時は、前記カード部材が前記係合部材に係合されると共に、前記スライド部材が前記ロック部材に係止されて前記カード部材の動きが規制されるようにしたことを特徴とする請求項１乃至３のいずれか１項記載のカード用コネクタ装置。
【請求項５】
前記カード部材は、前記係合部材が係合可能な係合凹部を有し、この係合凹部に係合させた前記係合部材と前記スライド部材との動きを規制することにより、前記ハウジング内部に装着した前記カード部材を前記ロックするようにしたことを特徴とする請求項４記載のカード用コネクタ装置。
【請求項６】
前記スライド部材は、前記ロック部材から離れる方向に弾性付勢する第２の弾性部材を有し、この第２の弾性部材で前記ロック部材との前記係止が解除された前記スライド部材を弾性付勢して前記カード部材を前記排出するようにしたことを特徴とする請求項１乃至５記載のいずれか１項記載のカード用コネクタ装置。
【請求項７】
カード部材と、このカード部材を着脱可能なハウジングとを備え、このハウジングは、内部に装着した前記カード部材の前端部を押圧して排出可能な排出機構を配設し、この排出機構は、線状の形状記憶合金をコイル状に巻回して所定長さの巻き線部を有する形状記憶コイルが連結され、
この形状記憶コイルは、あらかじめ記憶させた前記巻き線部の所定長さを記憶寸法とし、前記ハウジング内部に前記カード部材を装着した状態において、前記形状記憶コイルの前記巻き線部の長さ寸法が前記記憶寸法より変化しており、
この状態から、前記形状記憶コイルは、非通電状態と通電状態との切り換えに伴う温度変化で発生する前記記憶寸法に戻ろうとする復元力で、前記排出機構が作動して前記ハウジングに装着した前記カード部材を前記排出するするようにしたことを特徴とするカード用コネクタ装置。
【請求項８】
前記ハウジング内部に前記カード部材を装着した状態における前記形状記憶コイルの前記巻き線部の長さ寸法は、前記記憶寸法より伸長しており、前記通電状態における前記巻き線部の温度上昇で前記形状記憶コイルが収縮して前記記憶寸法に復元するようにしたことを特徴とする請求項７記載のカード用コネクタ装置。
【請求項９】
前記排出機構は、長尺状のレバー部材からなり、一端部側が前記形状記憶コイルに連結されて回動支点を支点として回動可能とし、前記回動支点と前記一端部側の前記形状記憶コイルを連結する連結部分との間に前記カード部材を押圧可能なカード押圧部を形成し、前記形状記憶コイルの前記収縮で前記ハウジングに装着した前記カード部材を前記カード押圧部で押圧するようにしたことを特徴とする請求項８記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるカード等に書き込み、読み出し可能なカード用コネクタ装置に関する。
【０００２】
【従来の技術】
パーソナルコンピュータ等の増設記録装置としてＩＣカードに必要な情報を書き込み、あるいは読み出しを行うためにカード用コネクタ装置が一般的に用いられている。このような従来のカード用コネクタ装置として、図８に示すように、平面視の形状が略矩形状のコネクタ本体５１が配設され、このコネクタ本体５１の図示左側の２つのコーナ部近傍には、形状記憶ワイヤ５２を巻き掛け可能な遊転ローラ５３、５３がそれぞれ配設されている。
前記形状記憶ワイヤ５２は、通電状態と非通電状態との切り換えに伴う温度変化により収縮モードと伸長モードとが切り換わる形状記憶合金で形成されている。　そして、形状記憶ワイヤ５２は、収縮モードではあらかじめ記憶させている長さまでその長さを短くし、伸長モードではあらかじめ記憶させている長さまでその長さを長くするという性質を有している。
【０００３】
そして、遊転ローラ５３、５３に巻き掛けられた形状記憶ワイヤ５２は、コネクタ本体５１の図示上下の辺部に沿って平面止コ字状に引き回しされており、その一端部が第１リード線５４に接続された第１端子５５を介して図示下方のイジェクト釦５６に連結されている。
また、形状記憶ワイヤ５２の他端部は、第２リード線５７に接続された第２端子５８を介して図示上方の固定台５９に固定されている。前記第１、第２リード線５４、５７は、バッテリー等の電源（図示せず）に接続されて、スイッチ部材（図示せず）で形状記憶ワイヤ５２に通電状態と非通電状態とに切り換え可能になっている。
【０００４】
そして、形状記憶ワイヤ５２が非通電状態、即ち伸長モードにある時に、コネクタ本体５１のハウジング６０にカード部材６１を挿入していくと、この挿入に伴ってスライダ６２が２点鎖線で示す位置から実線で示す図示左方向に移動する。このことにより、カード部材６１が２点鎖線で示す部分に位置してハウジング６０への装着が完了する。
そして、コネクタ本体５１側に形成した複数のコンタクト６３がカード部材６１の前端面に具備している複数の孔に差し込まれて、カード部材６１の電極と電気的に接続される。
この時、スライダ６２の後端部寄りに形成した幅狭の凸部６２ａには、揺動支点６４に支持されたシャフト６５が実線で示す位置に揺動して、イジェクト釦５６は、ハウジング６０から図示右側の外方に突出している。
【０００５】
次に、カード部材６１がコネクタ本体５１に装着された状態において、第１、第２リード線５４、５７を経て形状記憶ワイヤ５２に通電すると、形状記憶ワイヤ５２が発熱して収縮モードに切り換わる。
このことにより形状記憶ワイヤ５２は、あらかじめ記憶している収縮モードの長さまでその長さを短くする。この時の形状記憶ワイヤ５２の収縮長さは、全長寸法の略５％収縮させることができるようになっている。
【０００６】
前記形状記憶ワイヤ５２が収縮することにより、イジェクト釦５６が図示左方向に牽引され、同時にシャフト６５が２点鎖線で示す位置まで揺動する。このシャフト６５の揺動に伴ってスライダ６２が、２点鎖線で示す右方向に後退すると共に、カード部材６１も右方向に押されて、前端面の孔に差し込まれているコンタクト６３が引き抜かれてイジェクトされる。
このような従来のカード用コネクタ装置は、形状記憶ワイヤ５２をコネクタ本体５１のコ字状の外辺部に沿って引き回ししているので、形状記憶ワイヤ５２の収縮率が略５％と小さくても、スライダ６２の後退距離を十分に確保できる。
【０００７】
【発明が解決しようとする課題】
しかしながら、上述した従来のカード用コネクタ装置においては、形状記憶ワイヤ５２の全長寸法における収縮率が略５％と小さいので、形状記憶ワイヤ５２の全長を長くしなければならず、形状記憶ワイヤ５２をコネクタ本体５１のコ字状の外辺部に沿って引き回ししていたので、従来のカード用コネクタ装置が大型になる問題があった。
また、形状記憶ワイヤ５２をコネクタ本体５１の外辺部に沿って引き回しするために、コネクタ本体５１のコーナ部近傍に遊転ローラ５３を配設して、形状記憶ワイヤ５２を略コ字状に引き回しするために、複数の遊転ローラ５３等が必要となり、部品点数が多くなる問題があった。
【０００８】
本発明は前述したような問題点に鑑みてなされたもので、コイル状に巻回した形状記憶合金を使って、大型化することなくカード部材を容易に排出できるカード用コネクタ装置を提供することを目的とする。
【０００９】
【課題を解決するための手段】
上記課題を解決するための第１の解決手段として本発明の第１の実施の形態のカード用コネクタ装置は、カード部材と、このカード部材を内部に装着可能なハウジングと、このハウジング内部に装着する時の前記カード部材の動きに連動して移動可能なスライド部材と、前記ハウジング内部に装着した前記カード部材を前記スライド部材を介してロック可能なロック部材と、前記スライド部材の前記ロックを解除して前記カード部材を前記ハウジング内部から排出可能なロック解除部材とを備え、
前記ロック解除部材には、線状の形状記憶合金をコイル状に巻回して所定長さの巻き線部を有する形状記憶コイルが係止され、この形状記憶コイルは、あらかじめ記憶させた前記巻き線部の所定長さを記憶寸法とし、
前記ハウジング内部に装着した前記カード部材を、前記ロック部材が前記スライド部材を介して前記ロックした状態において、前記形状記憶コイルの前記巻き線部の長さ寸法が前記記憶寸法から変化しており、
この状態から、前記形状記憶コイルは、非通電状態と通電状態との切り換えに伴う温度変化で発生する前記記憶寸法に戻ろうとする復元力で、前記ロック解除部材が前記ロック部材側に移動することにより、前記ロック部材による前記ロックが解除されて、前記ハウジング内部に装着した前記カード部材を外部に排出するするようにしたことを特徴とする。
【００１０】
また、上記課題を解決するための第２の解決手段として、前記ロック解除部材は、前記ロック部材から離れる方向に弾性付勢する第１の弾性部材を有し、この第１の弾性部材の付勢力で前記記憶寸法から変化した前記形状記憶コイルを、前記通電状態において発生する前記復元力で前記第１の弾性部材に抗して前記ロック解除部材が前記ロック部材側に移動するようにしたことを特徴とする。
【００１１】
また、上記課題を解決するための第３の解決手段として、前記形状記憶コイルは、前記ハウジング内部に前記カード部材を装着して前記ロックした状態における前記巻き線部の長さ寸法が前記記憶寸法より伸長しており、前記通電状態における前記巻き線部の温度上昇で伸長状態の前記形状記憶コイルが収縮して前記記憶寸法に復元するようにしたことを特徴とする。
【００１２】
また、上記課題を解決するための第４の解決手段として、前記スライド部材は、回動可能に支持した係合部材を有し、前記ハウジング内部に前記カード部材を装着して前記ロック時は、前記カード部材が前記係合部材に係合されると共に、前記スライド部材が前記ロック部材に係止されて前記カード部材の動きが規制されるようにしたことを特徴とする。
【００１３】
また、上記課題を解決するための第５の解決手段として、前記カード部材は、前記係合部材が係合可能な係合凹部を有し、この係合凹部に係合させた前記係合部材と前記スライド部材との動きを規制することにより、前記ハウジング内部に装着した前記カード部材を前記ロックするようにしたことを特徴とする。
【００１４】
また、上記課題を解決するための第６の解決手段として、前記スライド部材は、前記ロック部材から離れる方向に弾性付勢する第２の弾性部材を有し、この第２の弾性部材で前記ロック部材との前記係止が解除された前記スライド部材を弾性付勢して前記カード部材を前記排出するようにしたことを特徴とする請求項１乃至５記載のいずれか１項記載のカード用コネクタ装置。
【００１５】
また、上記課題を解決するための第７の解決手段として本発明の第２の実施の形態のカード用コネクタ装置は、カード部材と、このカード部材を着脱可能なハウジングとを備え、このハウジングは、内部に装着した前記カード部材の前端部を押圧して排出可能な排出機構を配設し、この排出機構は、線状の形状記憶合金をコイル状に巻回して所定長さの巻き線部を有する形状記憶コイルが連結され、この形状記憶コイルは、あらかじめ記憶させた前記巻き線部の所定長さを記憶寸法とし、前記ハウジング内部に前記カード部材を装着した状態において、前記形状記憶コイルの前記巻き線部の長さ寸法が前記記憶寸法より変化しており、
この状態から、前記形状記憶コイルは、非通電状態と通電状態との切り換えに伴う温度変化で発生する前記記憶寸法に戻ろうとする復元力で、前記排出機構が作動して前記ハウジングに装着した前記カード部材を前記排出するするようにしたことを特徴とする。
【００１６】
また、上記課題を解決するための第８の解決手段として、前記ハウジング内部に前記カード部材を装着した状態における前記形状記憶コイルの前記巻き線部の長さ寸法は、前記記憶寸法より伸長しており、前記通電状態における前記巻き線部の温度上昇で前記形状記憶コイルが収縮して前記記憶寸法に復元するようにしたことを特徴とする。
【００１７】
また、上記課題を解決するための第９の解決手段として、前記排出機構は、長尺状のレバー部材からなり、一端部側が前記形状記憶コイルに連結されて回動支点を支点として回動可能とし、前記回動支点と前記一端部側の前記形状記憶コイルを連結する連結部分との間に前記カード部材を押圧可能なカード押圧部を形成し、前記形状記憶コイルの前記収縮で前記ハウジングに装着した前記カード部材を前記カード押圧部で押圧するようにしたことを特徴とする。
【００１８】
【発明の実施の形態】
以下、本発明の実施の形態を図１〜図７に示す。図１〜図６は本発明の第１の実施の形態に関するカード用コネクタ装置の動作を説明する要部平面図であり、図７は本発明の第２の実施の形態を説明する要部平面図である。
まず、本発明のぢあ１の実施の形態のカード用コネクタ装置は、樹脂材料等の絶縁材で形成された、図１に示すような、外形が略矩形状のハウジング１が配設されている。
このハウジング１には、内部に略方形の収納部１ａが形成され、この収納部１ａに後述するＩＣカード等からなるカード部材５が収納されて着脱可能になっている。
【００１９】
前記収納部１ａの図示左側の内縁部１ｂには導電性の金属材料からなる複数の接触端子２が所定の間隔で、インサート成型等によりハウジング１に埋設されている。
また、ハウジング１の図示下端部には、後述するスライド部材６をスライド可能に支持可能な支持部１ｃが形成され、この支持部１ｃの図示右側端部には、圧縮コイルバネからなる第１の弾性部材３が配設されている。
また、支持部１ｃの図示左側端部には、圧縮コイルバネからなる第２の弾性部材４が配設されている。
また、支持部１ｃには、第２の弾性部材４を支持する部分の図示下部に、後述するスライド部材６を係止して動きを規制するためのロック部材（図示せず）を収納するロック部材収納部１ｄが形成されている。
【００２０】
また、図２に示す支持部１ｃの内底面からは所定の高さで垂直方向に突出する長方形状の第１カム部１ｅと、略菱形状の第２のカム部１ｆと、一端側の図示左側に傾斜面が形成された第３のカム部１ｇとが、それぞれ所定の間隔を設けて形成されている。
また、ハウジング１内部の収納部１ａには、薄板状のＩＣカード等からなるカード部材５が収納されて、着脱可能になっている。
【００２１】
前記カード部材５は、内部にＩＣ（集積回路）が収納されて、記録媒体として一般に使用されているものであり、その底面側で、一方側である前端部側には、複数の接点部５ａが形成されており、この接点部５ａがハウジング１に形成した複数の接触端子２と接触することにより、外部に接続されたパーソナルコンピュータ等の電子機器（図示せず）との種々の情報処理が行われるものになっている。　また、カード部材５には、接点部５ａを形成した前端部側の図示下方側のコーナ部５ｃが円弧状に形成されている。
【００２２】
前記ハウジング１の支持部１ｃには、図示左右方向にスライド可能なスライド部材６が配設されている。このスライド部材６は、樹脂材料からなり、平面視の形状が略矩形状に形成され、この矩形状の図示左側の一端面からは、左方向に向かって支持突起６ａとロック部６ｂとが突出形成されている。
そして、支持突起６ａは、第２の弾性部材４の内径部分に挿通されて、スライド部材６が第２の弾性部材４に支持されている。また、スライド部材６は、第２の弾性部材４により図示右方向に弾性付勢されて、支持部１ｃ内を図示左右方向に移動可能になっている。
また、ロック部６ｂは、先端部が鈎状（図示せず）に形成されており、このロック部６ｂは、ロック部材収納部１ｄに収納しているロック部材（図示せず）に鈎状部分を引っ掛けて係止可能になっている。
前記ロック部６ｂをロック部材に係止することにより、スライド部材６の動きが規制されるようになっている。
【００２３】
また、スライド部材６には、内部に形成した凹部（図示せず）の天井面に係合部材７が回動自在に係支されている。この係合部材７は、カード部材５の係合凹部５ｂに係合可能な係合凸部７ａと、係合部材７を回動自在にスライド部材６に軸支する回動支点７ｂと、支持部１ｃの内底面方向に突出する位置決めピン７ｃとが形成されている。
そして、係合部材７は、位置決めピン７ｃが第１〜第３のカム部１ｅ〜１ｇに案内されることにより、回動支点７ｂを支点として時計回り方向、あるいは反時計回り方向に回動可能になっている。
【００２４】
また、ハウジング１の支持部１ｃを構成する側壁１ｈと、支持部１ｃに配設したスライド部材６との間には、スライド部材６を係止した状態のロック部材収納部１ｄ内部のロック部材（図示せず）に当接して、このロック部材の係止を解除可能なロック解除部材８が配設されている。
このロック解除部材８は、金属板からなる平板状で図示横長に形成されて、側壁１ｈとスライド部材６との間に配置されて図示左右方向にスライドイド可能になっている。
【００２５】
そして、ロック解除部材８は、バネ係支部８ｂが第１の弾性部材３に図示右方向に弾性付勢された状態で、図示右側の一端部側がハウジング１から外方に突出している。
このハウジング１から図示右側の外方に突出するロック解除部材８の一端部側に連結部８ａが形成されている。
また、ロック解除部材８は、他端部側であるハウジング１内部に位置する先端部にロック解除部（図示せず）が形成され、第１の弾性部材４の付勢力で図示右側に位置した状態において、ロック解除部がロック部材収納部１ｄ内のロック部材（図示せず）から離間しｓた状態になっている。
【００２６】
また、ロック解除部材８の連結部８ａには、線状の形状記憶合金をコイル状に巻回して所定長さの巻き線部９ａを有する形状記憶コイル９が係止されている。この形状記憶コイル９は、例えばＮｉ−Ｔｉ合金からなり、あらかじめ記憶させた巻き線部９ａの所定の長さ寸法を記憶寸法Ｌ１としている。
また、形状記憶コイル９は、巻線部９ａの一端部９ｂと他端部９ｃとが円形状に形成されている。
【００２７】
このような形状記憶コイル９は、他端部９ｃ側を係止部材１０に係支した状態で一端部９ｂ側がロック解除部材８の連結部８ａに係止されており、非通電状態においては、ロック解除部材８が第１の弾性部材３で図示右方向に弾性付勢されているので、伸長した巻き線部９ａの長さ寸法Ｌ２が記憶寸法Ｌ１より長くなっている。
また、形状記憶コイル９には、バッテリー等の電源１１がスイッチ部材１２を介して接続されており、スイッチ部材１２のＯＮ／ＯＦＦ操作により形状記憶コイル９が非通電状態と通電状態とに切り換え可能になっている。
【００２８】
そして、非通電状態と通電状態との切り換えに伴う巻き線部９ａの温度変化、例えば通電状態において巻き線部９ａが略７０℃以上になると、伸長した巻き線部９ａの長さ寸法Ｌ２が、記憶寸法Ｌ１に収縮して戻ろうとする復元力が働くようになっている。
この形状記憶コイル９の復元力は、コイルの線径によって異なるが、本発明においては、第１の弾性部材３の付勢力より大きくなるように設定されている。
そのために、巻き線部９ａの長さ寸法Ｌ２が記憶寸法Ｌ１に復元して、ロック解除部材８が図示左方向にスライド移動するようになっている。
【００２９】
また、形状記憶コイル９のそれぞれの具体的な寸法は、例えば線径が０．５ｍｍ、巻き線部９ａの外径が３．５４ｍｍ、記憶寸法Ｌ１が１０．２ｍｍに設定されている。
また、巻き線部９ａの長寸法Ｌ２は、自由に寸法を設定することができ、通電状態に切り換えて巻き線部９ａを温度上昇させることにより、記憶寸法Ｌ１である１０．２ｍｍに収縮して復元できるようになっている。
例えば、巻き線部９ａの長さ寸法Ｌ２を、コイル状が壊われるまで伸ばして線状にしたとしても、通電状態にすることにより、記憶寸法Ｌ１に復元することができるようになっている。
但し、ロック解除部材８の有効ストローク量は、略２ｍｍあればよいので、非通電状態における巻き線部９ａの長寸法Ｌ２は略１２．２ｍｍに設定していれば良い。このような形状記憶コイル９は、巻き線部９ａの長寸法Ｌ２から記憶寸法Ｌ１に復元するときに発生する復元力が、実測で２７０ｇｆとなった。
そのために、ロック部材は、２７０ｇｆ以下の操作力でスライド部材６の係止を解除可能になっていれば良い。
【００３０】
このような構成の本発明のカード用コネクタ装置の動作を図１〜図６に基づいて説明すると、まず、図１に示すように、カード部材５を手作業で接点部５ａが形成された前端部側をハウジング１の収納部１ａに矢印Ａ方向に所定量挿入する。　この時、スライド部材６に軸支されている係合部材７は、回動支点７ｂを支点として時計回り方向に回動して傾倒状態になっているので、挿入されてくるカード部材５のコーナ部５ｃが係合部材７の係合凸部７ａに沿って収納部１ａの奥側に移動する。
【００３１】
そして、係合凸部７ａがカード部材５の係合凹部５ｂに位置すると、係合凸部７ａが係合凹部５ｂに入り込んで係合して、係合部材７が回動支点７ｂを支点として反時計回り方向に回動する。
このことにより、図２に示すように、係合凸部７ａがハウジング１の側壁１ｈに対して直交する方向の直立状態となり、位置決めピン７ｃが第１のカム部１ｅと側壁１ｈとの間に位置する。
そのために、スライド部材６は、図示左右方向である前後方向へのスライド移動は可能となるが、係合部材７の回動は規制されて側壁１ｈに対する直立状態が維持される。
【００３２】
この状態で、更にカード部材５を手作業で矢印Ａ方向に押し込むと、図２に示すように、接触端子２が接点部５ａに接触して通電すると共に、カード部材５の前端部がハウジング１の収納部１ａの内縁部１ｂに当接して、カード部材５のハウジング１への装着が完了する。
また、カード部材５が矢印Ａ方向に移動するのに連動して、スライド部材６も図示左方向に移動し、カード部材５のハウジング１内部への装着が完了すると、スライド部材６のロック部６ｄの先端部が、ロック部材収納部１ｄ内のロック部材（図示せず）に係止されて、スライド部材６の動きが規制される。
【００３３】
この時、カード部材５は、直立状態に維持された係合部材７でロックされて、矢印Ｂ方向の抜ける方向の動きが規制されて、収納部１ａから抜け止めされている。即ち、ハウジング１内部に装着したカード部材５は、スライド部材６を介してロックされて、動きが規制されている。
そのために外部から振動等が加えられても、カード部材５が矢印Ａ、Ｂの前後方向に動くことがなく、接触端子２と接点部５ａとの接触が不安定になることがない。
また、この時のロック解除部材８は、第１の弾性部材３に弾性付勢されて図示右側に位置して、先端部のロック解除部（図示せず）が、ロック部材収納部１ｄ内のロック部材（図示せず）から離間している。
【００３４】
また、この時の形状記憶コイル９は、第１の弾性部材３の付勢力で図示右側に位置しているロック解除部材８により、巻き線部９ａの長さ寸法Ｌ２が、あらかじめ記憶させている記憶寸法Ｌ１より伸長している。
即ち、ハウジング１内部に装着したカード部材５を、ロック部材がスライド部材６を介してロックした状態において、形状記憶コイル９の巻き線部９ａの長さ寸法Ｌ２が、あらかじめ記憶させた記憶寸法Ｌ１から変化していると共に、ロック解除部材８がロック部材から離間した状態になっている。
【００３５】
次に、ハウジング１内部にロックしたカード部材５を、ハウジング１外部に排出するには、図３に示すように、スイッチ部材１２をＯＮさせると、非通電状態の形状記憶コイル９に所定の電流が通電されて通電状態に切り換えられる。
このように形状記憶コイル９が通電状態に切り換えられることにより、巻き線部９ａが略７０℃に温度上昇して、あらかじめ記憶させていた巻き線部９ａの長さ寸法である記憶寸法Ｌ１に戻ろうとする矢印Ｃ方向の復元力が働く。
この矢印Ｃ方向の復元力で、第１の弾性部材３の付勢力に抗してロック解除部材８が図示左方向にスライド移動する。
【００３６】
そして、ロック解除部材８の図示左側の先端部に形成したロック解除部（図示せず）が、ロック部材収納部１ｂ内部のロック部材（図示せず）に当接することにより、ロック部材とスライド部材６のロック部６ｂとの係止が解除される。
すると、スライド部材６に弾性付勢する第２の弾性部材４の付勢力で、スライド部材６が図示右方向に押されて移動する。
このスライド部材６の図示右方向への移動によって、図４に示すように、カード部材５もスライド部材６の係合部材７を介して同時に矢印Ｂ方向に自動的に排出される。
これにより、ハウジング１の内縁部１ｂに当接したカード部材５の前端部が、内縁部１ｂから離間する。
【００３７】
同時に、ロック部材からの係止が解除されたスライド部材６は、第２の弾性部材４の付勢力で、更に図示右方向にスライド移動すると共に、カード部材５も矢印Ｂ方向に移動して所定量自動排出される。
そして、スライド部材６が、図５に示す位置まで移動すると、接触端子２とカード部材５の接点部５ａとの接触が離れるが、係合部材７は、位置決めピン７ｃが第１のカム部１ｅから第２のカム部１ｆに移動して、回動が規制されているので、カード部材５は、ハーフロック状態になっている。
【００３８】
この、図５に示すハーフロック状態のカード部材５を、矢印Ｂ方向に手作業で移動させることにより、スライド部材６も同方向に移動する。
このスライド部材６の図示右方向への移動で、これまで係合部材７の回動を規制していた位置決めめピン７ｃが、第２のカム部材１ｆと第３のカム部材１ｇとの間の隙間部分に位置して、係合部材７が回動支点７ｂを支点として時計回り方向に回動して、図６に示すように、係合部材７が傾倒し、カード部材５の係合凹部５ｂから係合凸部７ａが抜け出て、カード部材５を収納部１ａから排出することができる。
【００３９】
また、の係合部材７によるカード部材５のハーフロック状態が解除されると、スイッチ部材１２をＯＦＦさせて、形状記憶コイル９を非通電状態とすることにより、巻き線部９ａに加えられていた、記憶寸法Ｌ１に戻ろうとする復元力が解除される。これにより、ロック解除部材８は、第１の弾性部材３の付勢力で図示右方向に移動して、先端部に形成しているロック部がロック解除部材から離間する。
このことによって、形状記憶コイル９は、一端部９ｂが矢印Ｄ方向に引っ張られて、巻き線部９ａが長さ寸法Ｌ２に伸長して変化する。
【００４０】
このような本発明のカード用コネクタ装置は、形状記憶コイル９を形状記憶合金からなる線材をコイル状に巻回して形成しているので、巻き線部９ａの長さを大きく変化させても、あらかじめ記憶させている巻き線部９ａの記憶寸法Ｌ１に容易に復帰させることができる。
そのために、形状記憶コイル９は、ハウジング１の一方側である、図示下方側だけの一方に配設するだけで良く、本発明のカード用コネクタ装置の小型化が可能となる。また、従来より部品点数を削減できる。
【００４１】
また、本発明の第２の実施の形態のカード用コネクタ装置を、図７に基づいて説明する。本発明の実施の形態と同じ部材は同じ番号を付して詳細な説明は省略する。まず、ハウジング２１の後側板２１ａの図示左側には、カード部材５の前端部押圧して外部に排出可能な、排出機構である長尺状で縦長のレバー部材２２が配設されている。
このレバー部材２２は、回動支点２２ａを支点として回動可能になっており、一端部側である図示下方側に延びる腕部２２ｂの端部に形状記憶コイル９の一端部９ｂを連結している。
また、レバー部材２２は、回動支点２２ａと、形状記憶コイル９を連結する腕部２２ｂ端部との間を湾曲させて、カード部材５を矢印Ｂ方向に押圧するための押圧部２２ｃが突出形成されている。
【００４２】
このような本発明の第２の実施の形態のカード用コネクタ装置は、カード部材５を矢印Ａ方向に挿入してハウジング２１に装着するときに、カード部材５の前端部が押圧部２２ｃを押圧することにより、レバー部材２２が、回動支点２２ａを支点として時計回り方向に回動する。
このレバー部材２２の時計回り方向への回動で、形状記憶コイル９の巻き線部９ａが、あらかじめ記憶させた記憶寸法Ｌ１より伸長して長さ寸法Ｌ２に変化する。
【００４３】
この状態から、形状記憶コイル９は、スイッチ部材１２をＯＮ／ＯＦＦさせて、非通電状態と通電状態との切り換えに伴う温度変化で記憶寸法Ｌ１に収縮して戻ろうとする復元力が発生する。
この復元力で、レバー部材２２の腕部２２ｂが引っ張られて、レバー部材２２が反時計回り方向に回動することにより、押圧部２２ｃがハウジング２１内部に装着しているカード部材５の前端部を直接押圧して、カード部材５を矢印Ｂ方向に排出するするようにしたものである。
このような本発明の第２の実施の形態は、第１の実施の形態で説明したスライド部材６、係合部材７、第１、第２の弾性部材３、４等が不要になり、部品点数を削減してコストダウンが可能になる。
また、第２の実施の形態では、排出機構を１本の縦長状で長尺のレバー部材２２で説明したが、排出機構は、２本のレバー部材を組み合わせたもの（図示せず）、あるいはレバー部材２２に別部材からなるカード押圧部材（図示せず）を取り付けたものでも良い。
【００４４】
本発明の第１、第２の実施の形態では、収縮状態を記憶寸法Ｌ１として記憶させ、寸法Ｌ２に伸長させた形状記憶コイル９を通電状態とすることで、伸長状態から収縮状態に変化させて、カード部材５のロックを解除することで説明したが、図示を省略するが、伸長状態の寸法Ｌ２を記憶寸法とし、寸法Ｌ１に収縮させた形状記憶コイル９を通電状態とすることで収縮状態から伸長状態に変化させてカード部材５のロックを解除するようにしたものでも良い。
【００４５】
【発明の効果】
以上説明したように、本発明の第１の実施の形態は、形状記憶コイルが、非通電状態と通電状態との切り換えに伴う温度変化で発生する記憶寸法に戻ろうとする復元力で、ロック解除部材がロック部材側に移動することにより、ロック部材によるロックが解除されて、ハウジング内部に装着したカード部材を外部に排出するするようにしたの、１つの形状記憶コイルでカード部材のロックを解除することができ、小型のカード用コネクタ装置を提供できる。
【００４６】
また、第１の弾性部材の付勢力で記憶寸法から変化した形状記憶コイルを、通電状態において発生する復元力で第１の弾性部材に抗してロック解除部材がロック部材側に移動するようにしたので、形状記憶コイルに発生する復元力が小さくても容易にロック解除部材をスライドさせることができる。そのために電源容量を小さくできる。
【００４７】
また、通電状態における巻き線部の温度上昇で、伸長状態の形状記憶コイルが収縮して記憶寸法に復元するようにしたので、通電状態における巻き線部のコイル間の接触を防止して、巻き線部が異常発熱することがない操作性の良いカード用コネクタ装置を提供できる。
【００４８】
また、ハウジング内部にカード部材を装着してロック時は、カード部材が係合部材に係合されると共に、スライド部材がロック部材に係止されてカード部材の動きが規制されるようにしたので、カード部材を確実にロックして、動きを規制することができる高性能なカード用コネクタ装置を提供できる。
【００４９】
また、係合凹部に係合させた係合部材とスライド部材との動きを規制することにより、ハウジング内部に装着したカード部材をロックするようにので、カード部材を確実にロックすることができる。
【００５０】
また、第２の弾性部材でロック部材との係止が解除されてスライド部材を弾性付勢してカード部材を排出するようにしたので、第２の弾性部材でロック解除後のカード部材を所定寸法自動排出することができ、操作性の良いカード用コネクタ装置を提供できる。
【００５１】
また本発明の第２の実施の形態は、形状記憶コイルが、非通電状態と通電状態との切り換えに伴う温度変化で発生する前記記憶寸法に戻ろうとする復元力で、排出機構が作動してハウジングに装着したカード部材を排出するようにしたので、部品点数を少なくすることができコストダウンが可能なカード用コネクタ装置を提供できる。
【００５２】
また、ハウジング内部に前記カード部材を装着した状態における形状記憶コイルの巻き線部の長さ寸法は、記憶寸法より伸長しており、通電状態における巻き線部の温度上昇で形状記憶コイルが収縮して記憶寸法に復元するようにしたので、
形状記憶コイルの巻き線部の収縮でカード部材をハウジングからように排出することができる操作性の良いカード用コネクタ装置を提供できる。
【００５３】
また、排出機構は、長尺状のレバー部材からなり、回動支点と一端部側の形状記憶コイルを係止する係止部分との間にカード部材を押圧可能なカード押圧部を形成し、形状記憶コイルの収縮でハウジングに装着したカード部材をカード押圧部で押圧するようにしたのでカード部材を排出するときの操作性が良い。
【図面の簡単な説明】
【図１】本発明の第１の実施の形態の動作を説明する要部平面図である。
【図２】発明の第１の実施の形態の動作を説明する要部平面図である。
【図３】発明の第１の実施の形態の動作を説明する要部平面図である。
【図４】本発明の第１の実施の形態の動作を説明する要部平面図である。
【図５】発明の第１の実施の形態の動作を説明する要部平面図である。
【図６】発明の第１の実施の形態の動作を説明する要部平面図である。
【図７】本発明の第２の実施の形態を説明する要部平面図である。
【図８】従来のカード用コネクタ装置を説明する要部平面図である。
【符号の説明】
１　ハウジング
１ａ　収納部
１ｄ　ロック部材収納部
２　接触端子
３　第の弾性部材
４　第２の弾性部材
５　カード部材
５ａ　接点部
５ｂ　係合凹部
６　スライド部材
６ａ　支持突起
６ｂ　ロック部
７　係合部材
７ａ　係合凸部
７ｂ　回動支点
７ｃ　位置決めピン
８　ロック解除部材
９　形状記憶コイル
９ａ　巻き線部
１０　係止部材
１１　電源
１２　スイッチ部材
【図１】
2004014456.tif 000003
【図２】
2004014456.tif 000004
【図３】
2004014456.tif 000005
【図４】
2004014456.tif 000006
【図５】
2004014456.tif 000007
【図６】
2004014456.tif 000008
【図７】
2004014456.tif 000009
【図８】
2004014456.tif 000010